(57)【特許請求の範囲】
【請求項１】
移動体電話機を接続して、この移動体電話機のハンズフリー化を車載用音響機器で可能とする車載用音響機器において、
電話の着信を検出する第１の手段と、
チューナのサーチ動作中に前記第１の手段で着信が検出されたとき、チューナから前記移動体電話機にソースを切り替えて電話関連の処理に入る前に、現在動作中のチューナのサーチ動作状態をメモリに記憶する第2の手段と、
電話が切断状態になって電話関連処理を終了し、ソースが前記チューナに復帰したとき、前記第２の手段で記憶されたチューナのサーチ動作状態を前記メモリから読み出して、チューナのサーチ動作状態を継続させる第３の手段と
を具備することを特徴とする車載用音響機器。
【請求項２】
チューナのサーチ動作中に電話の発信が行われると、電話の発信時および発信後の電話関連処理終了時にも第２の手段によるチューナのサーチ動作状態の記憶と、第３の手段によるチューナのサーチ動作状態の継続が行われることを特徴とする請求項１に記載の車載用音響機器。
【発明の詳細な説明】
【０００１】
【発明の属する技術分野】
本発明は、移動体電話機を接続して、この移動体電話機のハンズフリー化を車載用音響機器で可能とする車載用音響機器に関する。
【０００２】
【従来の技術】
自動車内で移動体電話機を使用する場合、安全運転に充分に配慮しなければならない。そこで、最近は、自動車内のコンソールボックスなどに装着された車載用音響機器に移動体電話機を接続して、この移動体電話機のハンズフリー化を前記車載用音響機器で可能とすることが行われている。
【０００３】
図３は、移動体電話機のハンズフリー化を車載用音響機器で可能とする従来の車載用音響機器を概略的に示す図で、移動体電話機１０がコードで従来の車載用音響機器２０に接続されている。従来の車載用音響機器２０としては、マイク２２と、表示部２３と、アンプ回路２４と、スピーカ２５と、キー操作部２６と、システムマイコン２７とを備えており、さらにこの例ではソースとしてチューナ回路２１を備えている。勿論、ソースとしては、図示しないが、ＣＤプレーヤ、ＭＤプレーヤ、テープレコーダなどのその他のソースを備えることができる。チューナ回路２１は、ＦＭ放送等を受信し、信号を復調する。マイク２２は、車載用音響機器本体とコードで接続されて自動車内の最適位置に固定され、ハンズフリーによる通話時、音声を入力する。表示部２３は、車載用音響機器および電話機としての各種の情報を表示する。アンプ回路２４は、チューナ回路２１出力の復調信号や通話時の音声信号を増幅してスピーカ２５を鳴音させる。キー操作部２６は、ユーザにより操作されて、車載用音響機器および電話機を操作するための各種の信号を入力する。システムマイコン２７は、車載用音響機器全体および移動体電話機１０を制御するもので、システム制御部２７ａとハンズフリー制御部２７ｂとキー制御部２７ｃとを有し、システム制御部２７ａに前記チューナ回路２１、マイク２２、表示部２３およびアンプ回路２４が直接接続されるとともに、前記キー操作部２６がキー制御部２７ｃを介してシステム制御部２７ａに接続され、さらに移動体電話機１０がハンズフリー制御部２７ｂを介してシステム制御部２７ａに接続される。
【０００４】
上記のような従来の車載用音響機器２０における電話時の動作は次の通りである。
（発信の場合）
（１）移動体電話機１０で電話番号を入力して発信操作が行われると、移動体電話機１０が発信状態になるとともに、移動体電話機１０から「発信コマンド」がハンズフリー制御部２７ｂに送られ、さらにハンズフリー制御部２７ｂからシステム制御部２７ａに「ＴＥＬソース・オン要求」が送られ、システム制御部２７ａはＴＥＬソース（ソースを移動体電話機１０に切り替えて、この移動体電話機１０とともに車載用音響機器２０が電話機として動作する状態）に移行する。
（２）一方、車載用音響機器２０のキー操作部２６で電話番号の入力と発信操作が行われると、キー制御部２７ｃからの「ＴＥＬソース・オン要求」を受けてシステム制御部２７ａはＴＥＬソースに移行する。同時に、システム制御部２７ａは、キー制御部２７ｃからの「発信コマンド」と「相手先電話番号」を受けてハンズフリー制御部２７ｂに「発信要求」と「相手先電話番号」を送り、ハンズフリー制御部２７ｂは移動体電話機１０に「発信コマンド」と「相手先電話番号」を送る。その結果、移動体電話機１０は発信動作をする。
（３）その後、相手が応答すると移動体電話機１０が通話状態になり、同時に移動体電話機１０→ハンズフリー制御部２７ｂ→システム制御部２７ａの「応答コマンド」を受けてシステム制御部２７ｂも通話状態に移行する。その結果、車載用音響機器２０のマイク２２とスピーカ２５を使用してハンズフリーによる通話が可能となる。
【０００５】
（着信の場合）
（１）移動体電話機１０で着信音が鳴音すると同時に、移動体電話機１０からハンズフリー制御部２７ｂに「着信コマンド」が送られる。
（２）すると、ハンズフリー制御部２７ｂからシステム制御部２７ａに「ＴＥＬソース・オン要求」が送られ、システム制御部２７ａはＴＥＬソースに移行する。
（３）その後、移動体電話機１０のキーを操作して応答すると、移動体電話機１０が通話状態になるとともに、「応答コマンド」がハンズフリー制御部２７ｂからシステム制御部２７ａに送られ、システム制御部２７ａも通話状態に移行する。一方、車載用音響機器２０のキー操作部２６を操作して応答すると、キー制御部２７ｃからシステム制御部２７ａに「応答コマンド」が送られてシステム制御部２７ａが通話状態に移行すると同時に、システム制御部２７ａからハンズフリー制御部２７ｂを介して「応答コマンド」が移動体電話機１０に送出されるから、移動体電話機１０も通話状態になる。これらの結果、車載用音響機器２０のマイク２２とスピーカ２５を使用してハンズフリーによる通話が可能となる。
【０００６】
（切断（通話終了）の場合）
（１）相手が切断操作を行うと、あるいは移動体電話機１０でユーザが切断操作を行うと、移動体電話機１０が切断状態になるとともに、移動体電話機１０からハンズフリー制御部２７ｂに「切断コマンド」が送られる。
（２）一方、車載用音響機器２０のキー操作部２６でユーザが切断操作を行うと、キー制御部２７ｃからの「切断コマンド」を受けてシステム制御部２７ａからハンズフリー制御部２７ｂに「切断要求」が送られ、さらに「切断コマンド」がハンズフリー制御部２７ｂから移動体電話機１０に送られて、移動体電話機１０で切断動作が実施される。
（３）その後、ハンズフリー制御部２７ｂは、移動体電話機１０の切断終了を確認してから、システム制御部２７ａに「ＴＥＬソース・オフ要求」を送る。
（４）それを受けてシステム制御部２７ａはソース復帰（ソースを、記憶している発信または着信前のソース（例えばチューナ）に戻す操作）に移行する。
【０００７】
【発明が解決しようとする課題】
しかしながら、上記のような従来の車載用音響機器では、例えばチューナによるサーチ動作の最中に電話の着信があった場合、電話関連の処理（応答、通話、切断等に関する処理）を行った後、ソース復帰でチューナソースに復帰すると、チューナのサーチ動作が解除されていた。したがって、ソース復帰後、サーチ動作を行わせるためには、ユーザがキー操作部２６のサーチキーを押すなどのサーチ動作再開操作を行わなければならず、手間がかかった。また、電話の着信があってサーチ動作がストップした周波数が放送の存在しない周波数の場合、ソース復帰でチューナソースに復帰したときに「ザー」という雑音がでて、ユーザに不快感を与えていた。
【０００８】
本発明は上記の点に鑑みなされたもので、電話関連処理終了後ソース復帰したときの使い勝手が向上する車載用音響機器を提供することを目的とする。
【０００９】
【課題を解決するための手段】
本発明の車載用音響機器は、移動体電話機を接続して、この移動体電話機のハンズフリー化を車載用音響機器で可能とする車載用音響機器において、電話の着信を検出する第１の手段と、チューナのサーチ動作中に前記第１の手段で着信が検出されたとき、チューナから前記移動体電話機にソースを切り替えて電話関連の処理に入る前に、現在動作中のチューナのサーチ動作状態をメモリに記憶する第2の手段と、電話が切断状態になって電話関連処理を終了し、ソースが前記チューナに復帰したとき、前記第２の手段で記憶されたチューナのサーチ動作状態を前記メモリから読み出して、チューナのサーチ動作状態を継続させる第３の手段とを具備することを特徴とする。
【００１０】
上記車載用音響機器は、チューナのサーチ動作中に電話の発信が行われると、電話の発信時および発信後の電話関連処理終了時にも第２の手段によるチューナのサーチ動作状態の記憶と、第３の手段によるチューナのサーチ動作状態の継続が行われるようにすることができる。
【００１１】
【発明の実施の形態】
次に添付図面を参照して本発明の実施の形態を詳細に説明する。図１は本発明の実施の形態の車載用音響機器２０を、接続した移動体電話機１０とともに示す回路図である。この図に示す本発明の実施の形態の車載用音響機器２０は、システムマイコン２７のシステム制御部２７ａ内に状態メモリ部２７ｄを有する点が図３の従来の車載用音響機器と相違する。本発明の実施の形態の車載用音響機器２０のその他の点は図３の従来の車載用音響機器と同一であり、すなわち、マイク２２と、表示部２３と、アンプ回路２４と、スピーカ２５と、キー操作部２６と、システムマイコン２７とを備え、さらにソースとしてチューナ回路２１を備える。ソースは、図示しないが、ＣＤプレーヤ、ＭＤプレーヤ、テープレコーダなどのその他のソースを備えることができる。チューナ回路２１は、ＦＭ放送等を受信し、信号を復調する。マイク２２は、車載用音響機器本体とコードで接続されて自動車内の最適位置に固定され、ハンズフリーによる通話時、音声を入力する。表示部２３は、車載用音響機器および電話機としての各種の情報を表示する。アンプ回路２４は、チューナ回路２１出力の復調信号や通話時の音声信号を増幅してスピーカ２５を鳴音させる。キー操作部２６は、使用者により操作されて、車載用音響機器および電話機を操作するための各種の信号を入力する。システムマイコン２７は、車載用音響機器全体および移動体電話機１０を制御するもので、システム制御部２７ａとハンズフリー制御部２７ｂとキー制御部２７ｃとを有し、システム制御部２７ａに前記チューナ回路２１、マイク２２、表示部２３およびアンプ回路２４が直接接続されるとともに、前記キー操作部２６がキー制御部２７ｃを介してシステム制御部２７ａに接続され、さらに移動体電話機１０がハンズフリー制御部２７ｂを介してシステム制御部２７ａに接続される。そして、本発明の場合、システム制御部２７ａ内には、上述のように状態メモリ部２７ｄが設けられる。この状態メモリ部２７ｄは、移動体電話機１０で着信が発生したとき、車載用音響機器２０がソースを移動体電話機１０に切り替えて電話関連の処理に入る前に、車載用音響機器２０の現在動作中のソースの動作状態を記憶する。
【００１２】
以上のような本発明に係る車載用音響機器２０は、移動体電話機１０の着信時、図２のフローチャートに示すように動作する。これを説明すれば、移動体電話機１０で着信が発生すると、該移動体電話機１０で着信音が鳴音すると同時に、移動体電話機１０からハンズフリー制御部２７ｂに「着信コマンド」が送られる（ステップＳ１）。すると、ハンズフリー制御部２７ｂからシステム制御部２７ａに「ＴＥＬソース・オン要求」が送られ、この「要求」の送出をシステム制御部２７ａが確認すれば（ステップＳ２）、システム制御部２７ａは現在動作中のソースの現在の動作状態（例えばチューナのサーチ動作）を状態メモリ部２７ｄに記憶する（ステップＳ３）。同時にシステム制御部２７ａは、ＴＥＬソース（ソースを移動体電話機１０に切り替えて、この移動体電話機１０とともに車載用音響機器２０が電話機として動作する状態）に移行する（ステップＳ４）。
【００１３】
その後、移動体電話機１０のキーを操作して応答すると、移動体電話機１０が通話状態になるとともに、「応答コマンド」がハンズフリー制御部２７ｂからシステム制御部２７ａに送られ（ステップＳ５）、システム制御部２７ａも通話状態に移行する（ステップＳ６）。一方、車載用音響機器２０のキー操作部２６を操作して応答すると、キー制御部２７ｃからシステム制御部２７ａにステップＳ５の「応答コマンド」が送られてシステム制御部２７ａがステップＳ６の通話状態に移行すると同時に、システム制御部２７ａからハンズフリー制御部２７ｂを介して「応答コマンド」が移動体電話機１０に送出されるから、移動体電話機１０も通話状態になる。これらの結果、車載用音響機器２０のマイク２２とスピーカ２５を使用してハンズフリーによる通話が可能となる。
【００１４】
その後、相手が切断操作を行うと、あるいは移動体電話機１０でユーザが切断操作を行うと、移動体電話機１０が切断状態になるとともに、移動体電話機１０からハンズフリー制御部２７ｂに「切断コマンド」が送られる（ステップＳ７）。一方、車載用音響機器２０のキー操作部２６でユーザが切断操作を行うと、キー制御部２７ｃからの「切断コマンド」を受けてシステム制御部２７ａからハンズフリー制御部２７ｂに「切断要求」が送られ（ステップＳ８）、さらに「切断コマンド」がハンズフリー制御部２７ｂから移動体電話機１０に送られて（ステップＳ９）、移動体電話機１０で切断動作が実施される。その後、ハンズフリー制御部２７ｂが移動体電話機１０の切断終了を確認すると（ステップＳ１０）、ハンズフリー制御部２７ｂからシステム制御部２７ａに「ＴＥＬソース・オフ要求」が送られる（ステップＳ１１）。すると、システム制御部２７ａは、「ＴＥＬソース・オフ要求」を受けて状態メモリ部２７ｄから記憶内容（着信前のソースの着信前の動作状態）を読み出す（ステップＳ１２）とともに、ソース復帰（ステップＳ１３）に移行する。その結果、車載用音響機器２０は、着信前のソースに戻るとともに、そのソースの動作状態は、着信前の動作状態が状態メモリ部２７ｄから読み出されるので、着信前の動作状態を継続することになる。具体例で説明すれば、着信前、チューナがサーチ動作をしていれば、切断後、ソースはチューナに戻り、かつチューナはサーチ動作を継続する。したがって、上記の車載用音響機器２０によれば、ソース復帰後、キー操作部２６のサーチキーを押すなどのサーチ動作再開操作を行う必要がなくなり便利になる。また、電話の着信があってサーチ動作がストップした周波数が放送の存在しない周波数であっても、ソース復帰後サーチ動作が継続されるので、「ザー」という雑音がでなくなりユーザに不快感を与えることがなくなる。
【００１５】
なお、上記の具体例はチューナのサーチ動作であるが、他の動作においてもソース復帰後、着信前の動作状態を継続することは勿論である。例えばカセットテープの頭出しの最中に着信があると、ソース復帰後、頭出しが続行され、移動体電話機１０のメモリ内容を車載用音響機器２０のメモリにダウンロードしている最中に着信があると、ソース復帰後、ダウンロードが続行される。
【００１６】
また、上記の説明は着信時についてであるが、電話発信時もソースの動作状態を状態メモリ部２７ｄに記憶して、電話切断後（電話関連処理終了後）ソース復帰したときに、復帰したソースが発信前の動作状態を継続するようにすることができる。
【００１７】
【発明の効果】
以上詳細に説明したように本発明の車載用音響機器によれば、電話関連処理終了後ソース復帰したときに復帰ソースが着信前または発信前の動作状態を継続するので、電話関連処理終了後ソース復帰したときの使い勝手が向上する。
【図面の簡単な説明】
【図１】本発明の実施の形態の車載用音響機器を示す回路図。
【図２】図１の車載用音響機器の電話着信時の動作を示すフローチャート。
【図３】従来の車載用音響機器を示す回路図。
【符号の説明】
１０  移動体電話機
２０  車載用音響機器
２１  チューナ回路
２２  マイク
２３  表示部
２４  アンプ回路
２５  スピーカ
２６  キー操作部
２７  システムマイコン
２７ａ  システム制御部
２７ｂ  ハンズフリー制御部
２７ｃ  キー制御部
２７ｄ  状態メモリ部
【図１】
0003776727.tif 000002
【図２】
0003776727.tif 000003
【図３】
0003776727.tif 000004